(57)【要約】【課題】  クロストークの発生を抑えつつ、焼き付き現象を防ぐ。【解決手段】  水平有効表示期間では、画素の階調に応じたデータ電圧をデータ線１１４にサンプリングするとともに、サンプリングさせる電圧を正極性と負極性とで交互に切り替える一方、水平帰線期間では、書込極性に応じて各データ線を予め定められた電圧にプリチャージする構成において、負極性書込が行われる水平有効表示期間直前のプリチャージ電圧を、負極性のデータ信号の電圧最低値よりも高くなるように設定する。【選択図】        図１
2006003877.tif 000002
【特許請求の範囲】
【請求項１】
複数の走査線と、
複数のデータ線と、
前記走査線と前記データ線との交差部に対応して設けられ、走査線が選択されたときに、データ線に供給されたデータ信号電圧が画素電極に印加されることで当該データ信号電圧によって指定される階調となる画素と、
前記複数の走査線を順次選択する走査線駆動回路と、
水平有効表示期間で、選択された走査線に位置する画素に供給されるデータ信号電圧をデータ線にサンプリングするサンプリング回路と
を有し、
水平帰線期間で、各データ線を予め定められたプリチャージ電圧にプリチャージし、
前記プリチャージ電圧を、前記画素を最低階調に指定する電圧と最高階調に指定する電圧とのうち、低位となる方の電圧よりも高い所定の電圧に設定する
ことを特徴とする電気光学装置。
【請求項２】
前記画素は、ゲートが走査線に電気的に接続される一方、ソースおよびドレインが前記データ線および前記画素電極にて電気的に介挿されたトランジスタと、
前記画素電極に対向する対向電極とを含み、
前記データ信号電圧は、所定の周期で前記対向電極に印加される電圧に対して高位電圧と低位電圧とに交互に入れ替わり、
前記低位電圧を画素電極に印加する水平有効表示期間の前の水平帰線期間では、前記プリチャージ電圧は、最低階調に指定する電圧または最高階調に指定する電圧のうちの一方側の電圧をとり、前記高位電圧を画素電極に印加する水平有効表示期間の前の水平帰線期間では、前記プリチャージ電圧は、最低階調または最高階調に指定する電圧のうちの他方側の電圧をとることを特徴とする請求項１に記載の電気光学装置。
【請求項３】
前記データ信号電圧は、所定の周期で前記対向電極に印加される電圧に対して高位電圧と低位電圧とに交互に入れ替わり、
前記低位電圧を画素電極に印加する水平有効表示期間の前の水平帰線期間において、前記プリチャージ電圧を、前記画素を最低階調に指定する電圧と最高階調に指定する電圧とのうち、低位となる方の電圧よりも高い所定の電圧に設定することを特徴とする請求項１に記載の電気光学装置。
【請求項４】
前記最低階調に指定する電圧の最低電圧が前記最高階調に指定する電圧の最低電圧よりも低位の場合、前記所定の電圧による前記画素の透過率は１％以下であることを特徴とする請求項１に記載の電気光学装置。
【請求項５】
前記水平帰線期間において、前記プリチャージ電圧を、前記画素を最低階調に指定する電圧と最高階調に指定する電圧とのうち低位となる方の電圧にした後、前記所定電圧とし、その後再び前記低位となる方の電圧とすることを特徴とする請求項１に記載の電気光学装置。
【請求項６】
複数の走査線と、複数のデータ線と、前記走査線と前記データ線との交差部に対応して設けられ、走査線が選択されたときに、データ線に供給されたデータ信号電圧が画素電極に印加されることで当該データ信号電圧によって指定される階調となる画素とを有する電気光学装置の駆動方法であって、
水平有効表示期間で前記走査線を選択し、選択された走査線に位置する画素に供給されるデータ信号電圧を、前記データ線にサンプリングして、
水平帰線期間では、各データ線を予め定められたプリチャージ電圧にプリチャージし、
前記プリチャージ電圧を、前記画素を最低階調に指定する電圧と最高階調に指定する電圧のうち、低位となる方の電圧よりも高い所定の電圧に設定する
ことを特徴とする電気光学装置の駆動方法。
【請求項７】
請求項１または５に記載の電気光学装置を有する
ことを特徴とする電子機器。
【発明の詳細な説明】
【技術分野】
【０００１】
本発明は、データ信号をデータ線にサンプリングする前に、当該データ線をプリチャージする技術に関する。
【背景技術】
【０００２】
電気光学物質の電気光学変化を用いて表示を行うアクティブマトリクス型の電気光学パネルでは、走査線とデータ線との交差部分に対応して画素が設けられている。そして、この画素は、走査線が選択されると、スイッチング素子がオンして、データ線の電圧を書き込んで当該電圧を保持するとともに、保持電圧に応じた明るさ（階調）を維持するような構成となっている。このような構成では、走査線が選択される毎に、階調に応じた電圧のデータ信号をデータ線に供給するので、データ線等に容量が寄生していると、データ線の充放電に伴う書込不足が発生する場合がある。そこで、このような書込不足を補うために、データ信号をデータ線に供給する前に、予めデータ線を所定の電圧にプリチャージする技術が知られている（特許文献１、２参照）。
【特許文献１】特開平１１−３３７９１０号公報
【特許文献２】国際公開第９９／０４３８４号パンフレット
【発明の開示】
【発明が解決しようとする課題】
【０００３】
しかしながら、プリチャージ電圧の設定いかんによっては、いわゆるクロストークなどが発生して表示品位が低下する。また、電気光学物質として液晶を用いる場合には、交流駆動が原則であるが、プリチャージ電圧の設定いかんによっては、画素に印加される電圧に偏りが生じて、液晶等が劣化し、いわゆる焼き付きの原因となる可能性もある。
本発明は、上述した事情に鑑みてなされたもので、その目的とするところは、データ線にデータ信号を供給する前に、データ線を適切な電圧でプリチャージすることによって、表示品位の低下や焼き付き等を防止することが可能な電気光学装置、電気光学装置の駆動方法および電子機器を提供することにある。
【課題を解決するための手段】
【０００４】
上記目的を達成するために本発明に係る電気光学装置は、複数の走査線と、複数のデータ線と、前記走査線と前記データ線との交差部に対応して設けられ、走査線が選択されたときに、データ線に供給されたデータ信号電圧が画素電極に印加されることで当該データ信号電圧によって指定される階調となる画素と、前記複数の走査線を順次選択する走査線駆動回路と、水平有効表示期間で、選択された走査線に位置する画素に供給されるデータ信号電圧をデータ線にサンプリングするサンプリング回路とを有し、水平帰線期間で、各データ線を予め定められたプリチャージ電圧にプリチャージし、前記プリチャージ電圧を、前記画素を最低階調に指定する電圧と最高階調に指定する電圧とのうち、低位となる方の電圧よりも高い所定の電圧に設定することを特徴とする。この電気光学装置によれば、クロストークの改善とともに、直流成分の印加による焼き付きを防止することが可能となる。
【０００５】
この電気光学装置において、前記画素は、ゲートが走査線に接続される一方、ソースおよびドレインが前記データ線および前記画素電極にて電気的に介挿されたトランジスタと、前記画素電極と前記対向電極とに挟持された液晶層とを含み、前記データ信号は、前記対向電極の電圧に対して高位電圧と低位電圧とが所定の間隔で交互に入れ替わり、前記低位電圧を画素電極に印加する水平有効表示期間の前の水平帰線期間では、前記プリチャージ電圧は、最低階調または最高階調のうち低位となる側の電圧をとり、前記高位電圧を画素電極に印加する水平有効表示期間の前の水平帰線期間では、前記プリチャージ電圧は、最低階調または最高階調のうち他方側の電圧をとる構成が好ましい。
一方、本発明は、電気光学装置の駆動方法としても概念することができる。
また、本発明に係る電子機器は、上記電気光学装置を有するので、クロストークの改善とともに、直流成分の印加による焼き付きを防止して、表示品位を高めることが可能となる。
【発明を実施するための最良の形態】
【０００６】
以下、本発明の実施形態について図面を参照して説明する。図１は、本実施形態に係る電気光学装置の全体構成を示すブロック図である。
この図に示されるように、電気光学装置は、電気光学パネル１００と、制御回路２００と、画像信号供給回路３００とから構成される。このうち、制御回路２００は、図示しない上位装置から供給される垂直走査信号Ｖｓ、水平走査信号Ｈｓおよびドットクロック信号ＤＣＬＫから、各部を制御するためのタイミング信号やクロック信号などを生成する。制御回路２００は、また、後述するように水平帰線期間のうち、後半の一部期間であるプリチャージ期間においてＨレベルとなる信号ＮＲＧを生成する。
【０００７】
画像信号供給回路３００は、さらに、Ｓ／Ｐ変換回路３１０、Ｄ／Ａ変換回路群３２０、増幅・反転回路３３０、セレクタ３４０およびプリチャージ電圧生成回路３６０を有する。このうち、Ｓ／Ｐ変換回路３１０は、上記上位装置から供給されるディジタルの映像データＶｉｄを、ｃｈ１〜ｃｈ６の６チャネルに分配するとともに、それぞれ時間軸に６倍に伸長（シリアル−パラレル変換または相展開ともいう）して、映像データＶｄ１ｄ〜Ｖｄ６ｄとして出力するものである。
ここで、伸長前の映像データＶｉｄは、垂直走査信号Ｖｓおよび水平走査信号Ｈｓおよびドットクロック信号ＤＣＬＫに同期して供給され、画素の階調（明るさ）を指定するデータである。詳細には、映像データＶｉｄは、水平有効表示期間では、当該水平有効表示期間において水平走査される画素の階調を指定する一方、水平帰線期間では、画素を最低階調（黒色）に指定する。
【０００８】
なお、水平帰線期間において画素を最低階調に指定する理由は、第１に、タイミングズレなどの理由により画素に供給されたとしても、当該画素を表示に寄与させないためと、第２に、後述する電気光学パネル１００において、有効表示領域外にダミー画素を設ける場合があり、この場合にも、ダミー画素を黒色化して表示に寄与させないためである。
また、映像データＶｉｄをシリアル−パラレル変換する理由は、後述するサンプリングスイッチにおいて、データ信号が印加される時間を長くして、サンプル＆ホールド時間および充放電時間を確保するためである。
【０００９】
Ｄ／Ａ変換回路群３２０は、チャネルｃｈ１〜ｃｈ６毎に設けられたＤ／Ａ変換器の集合体であって、映像データＶｄ１ｄ〜Ｖｄ６ｄを、それぞれ画素の階調に応じた電圧のアナログ信号に変換するものである。
増幅・反転回路３３０は、アナログ変換された信号を、電圧Ｖcを基準にして極性反転または正転した後、適宜、増幅して画像信号Ｖｄ１〜Ｖｄ６として供給するものである。ここで、極性反転については、（ａ）走査線毎、（ｂ）データ信毎、（ｃ）画素毎、（ｄ）面（フレーム）毎などの態様があるが、この実施形態にあっては（ａ）走査線毎の極性反転（１Ｈ反転）であるとする。ただし、本発明をこれに限定する趣旨ではない。
なお、電圧Ｖcは、図５に示されるように画像信号の振幅中心電圧であり、対向電極に印加される電圧ＬＣcomとほぼ等しい。そして、本実施形態では、便宜上、振幅中心電圧Ｖcよりも高位電圧を正極性と、低位電圧を負極性と、それぞれ称している。
また、この実施形態では、映像データＶｉｄをシリアル−パラレル変換した後にアナログ変換する構成とするが、シリアル−パラレル変換前にアナログ変換しても良いのはもちろんである。
【００１０】
セレクタ３４０は、各チャネルに対応して設けられる２入力１出力型の双投スイッチの集合体であって、各双投スイッチの選択は、信号ＮＲＧにしたがって一括してなされる。詳細には、セレクタ３４０の双投スイッチは、信号ＮＲＧがＬレベルである場合、図１において実線で示される位置をとって、画像信号Ｖｄ１〜Ｖｄ６を選択する一方、信号ＮＲＧがＨレベルである場合、後述するプリチャージ信号Ｖpreを選択して、選択した信号をデータ信号Ｖｉｄ１〜Ｖｉｄ６として電気光学パネル１００に供給する。
【００１１】
ここで便宜上、電気光学パネル１００の構成について説明する。図２は、電気光学パネル１００の電気的な構成を示すブロック図であり、図３は、電気光学パネル１００の画素の詳細な構成を示す図である。
図２に示されるように、電気光学パネル１００では、複数本の走査線１１２が横方向（Ｘ方向）に延接される一方、複数本のデータ線１１４が図において縦方向（Ｙ方向）に延設されている。そして、これらの走査線１１２とデータ線１１４との交差の各々に対応するように画素１１０がそれぞれ設けられて、表示領域１００ａを構成している。
本実施形態では、走査線１１２の本数（行数）を「ｍ」とし、データ線の本数（列数）を「６ｎ」（６の倍数）として、画素１１０が、縦ｍ行×横６ｎ列のマトリクス状に配列する構成を想定する。
【００１２】
６本の画像信号線１７１には、セレクタ３４０によって選択出力されたデータ信号Ｖｉｄ１〜Ｖｉｄ６がそれぞれ供給される。
各データ線１１４の一端には、画像信号線１７１に供給されるデータ信号Ｖｉｄ１〜Ｖｉｄ６の各々を、データ線１１４にサンプリングするためサンプリングスイッチ１５０がそれぞれ設けられている。各サンプリングスイッチ１５０は、本実施形態では、ｎチャネル型の薄膜トランジスタ（Thin Film Transistor、以下、ＴＦＴと称する）であり、そのドレインがデータ線１１４に接続される一方、そのゲートは、６本のデータ線１１４を１単位として共通接続されている。
ここで、サンプリングスイッチ１５０のゲートが共通接続されているデータ線１１４を１つのブロックとして考える。そして、このようなブロックを考えた場合、図２において左から数えてｊ列目のデータ線１１４の一端にドレインが接続されたサンプリングスイッチ１５０は、ｊを６で割った余りが「１」であるならば、そのソースが、データ信号Ｖｉｄ１が供給される画像信号線１７１に接続される。同様に、ｊを６で割った余りが「２」、「３」、「４」、「５」、「０」であるデータ線１１４にドレインが接続されたサンプリングスイッチ１５０の各々は、そのソースが、データ信号Ｖｉｄ２〜Ｖｉｄ６が供給される画像信号線１７１にそれぞれ接続されている。例えば、図２において左から数えて１１列目のデータ線１１４にドレインが接続されたサンプリングスイッチ１５０のソースは、「１１」を６で割った余りが「５」であるから、データ信号Ｖｉｄ５が供給される画像信号線１７１に接続される。なお、ここでいう「ｊ」は、データ線１１４を一般化して説明するためのものであって、１≦ｊ≦６ｎを満たす正整数である。
【００１３】
走査線駆動回路１３０は、１水平有効表示期間だけＨレベルになる走査信号Ｇ１、Ｇ２、…、Ｇｍを、図４に示されるように、１水平走査期間（１Ｈ）毎に順番に出力するものである。なお、走査線駆動回路１３０の詳細については、本発明と直接関連しないので省略するが、１垂直走査期間の最初に供給される転送開始パルスＤＹを、クロック信号ＣＬＹのレベルが遷移する毎に順次シフトした後、波形整形などして、走査信号Ｇ１、Ｇ２、…、Ｇｍとして出力する。
【００１４】
また、ブロック選択回路１４０は、シフトレジスタ１４２およびＯＲ回路１４４を有する。このうち、シフトレジスタ１４２は、図４に示されるように、１水平有効表示期間の最初に供給される転送開始パルスＤＸを、クロック信号ＣＬＸのレベルが遷移する（立ち上がる又は立ち下がる）毎に順次シフトするとともに、そのパルス幅を狭めて、信号Ｓａ１、Ｓａ２、…、Ｓａ（ｎ−１）、Ｓａｎとして出力するものである。
ＯＲ回路１４４は、シフトレジスタ１４２の各出力段にそれぞれ設けられ、当該出力段からの信号と信号ＮＲＧとの論理和信号を出力するものである。
このように、シフトレジスタ１４２による信号Ｓａ１、Ｓａ２、…、Ｓａ（ｎ−１）、Ｓａｎは、ＯＲ回路１４４を経て、最終的にサンプリング信号Ｓ１、Ｓ２、Ｓ３、…、Ｓｎとして出力される。
【００１５】
そして、これらのサンプリング信号Ｓ１、Ｓ２、Ｓ３、…、Ｓｎは、図２においてブロック化されたデータ線１１４に対応するサンプリングスイッチのゲートに共通に供給される。例えば、左から数えて２番目のブロックには、７列〜１２列目のデータ線１１４に対応するので、これらのデータ線１１４に対応するサンプリングスイッチ１５０のゲートには、サンプリング信号Ｓ２が共通に供給される。
なお、サンプリングスイッチ１５０を構成するＴＦＴについては、本実施形態ではｎチャネル型としているが、ｐチャネル型としても良いし、両チャネルを組み合わせた相補型としても良い。
【００１６】
次に、画素１１０について説明する。
図３に示されるように、画素１１０においては、ｎチャネル型のＴＦＴ１１６のソースがデータ線１１４に接続されるとともに、ドレインが画素電極１１８に接続される一方、ゲートが走査線１１２に接続されている。
また、画素電極１１８に対向するように対向電極１０８が全画素に対して共通に設けられるとともに、一定の電圧ＬＣcomに維持される。そして、これらの画素電極１１８と対向電極１０８との間に液晶層１０５が挟持されている。このため、画素毎に、画素電極１１８、対向電極１０８および液晶層１０５からなる液晶容量が構成されることになる。
【００１７】
特に図示はしないが、両基板の各対向面には、液晶分子の長軸方向が両基板間で例えば約９０度連続的に捻れるようにラビング処理された配向膜がそれぞれ設けられる一方、両基板の各背面側には配向方向に応じた偏光子がそれぞれ設けられる。
画素電極１１８と対向電極１０８との間を通過する光は、液晶層１０５に印加される電圧実効値がゼロであれば、液晶分子の捻れに沿って約９０度旋光する一方、当該電圧実効値が大きくなるにつれて、液晶分子が電界方向に傾く結果、その旋光性が消失する。このため、例えば透過型において、入射側と背面側とに、配向方向に合わせて偏光軸が互いに直交する偏光子をそれぞれ配置させると、当該電圧実効値がゼロに近ければ、光の透過率が最大となって白色表示になる一方、電圧実効値が大きくなるにつれて透過する光量が減少して、ついには透過率が最小である黒色表示になる（ノーマリーホワイトモード）。
また、液晶容量において電荷をリークしにくくさせるために、蓄積容量１０９が画素毎に形成されている。この蓄積容量１０９の一端は、画素電極１１８（ＴＦＴ１１６のドレイン）に接続される一方、その他端は、全画素にわたって共通接地されている。
なお、画素１１０におけるＴＦＴ１１６は、走査線駆動回路１３０や、シフトレジスタ１４２、ＯＲ回路１４４、サンプリングスイッチ１５０の構成素子と共通の製造プロセスで形成されて、装置全体の小型化や低コスト化に寄与している。
【００１８】
再び説明を図１に戻す。プリチャージ電圧生成回路３６０は、データ線１１４に画像信号をサンプリングする直前の水平帰線期間において、データ線１１４をプリチャージするための電圧信号であるプリチャージ信号Ｖpreを生成するものである。このプリチャージ信号Ｖpreは、図５に示されるように、電圧Ｖba(-)またはＶw(+)のいずれかをとる。詳細には、プリチャージ信号Ｖpreは、正極性書込となる水平有効表示期間直前の水平帰線期間における略中心タイミングにて電圧Ｖba(-)からＶw(+)へと切り替わり、反対に、負極性書込となる水平有効表示期間直前の水平帰線期間における略中心タイミングにて、電圧Ｖw(+)からＶba(-)へと切り替わる。上述したように本実施形態では、（ａ）走査線毎の極性反転（１Ｈ反転）を採用するので、プリチャージ信号Ｖpreも１水平走査期間毎に極性反転される。
【００１９】
ここで、図５における電圧の関係について言及すると、電圧Ｖb(-)、Ｖw(-)、Ｖg(-)は、それぞれ画素１１０における画素電極１１８に印加された場合に、当該画素を最低階調の黒色、最高階調の白色、その中間階調である灰色とさせる負極性電圧である。一方、電圧Ｖb(+)、Ｖw(+)、Ｖg(+)は、それぞれ画素１１０における電極１１８に印加された場合に、当該画素を最低階調の黒色、最高階調の白色、中間階調である灰色とさせる正極性電圧であり、電圧Ｖcを基準にしたときに電圧Ｖb(-)、Ｖw(-)、Ｖg(-)と対称に位置する関係にある。このような電圧関係において、電圧Ｖba(-)は、電圧Ｖb(-)よりも高く設定されている。
なお、走査信号Ｇ１、Ｇ２、Ｇ３、…、Ｇｍの電圧関係については、そのＬレベルが電圧Ｖb(-)よりも低く、走査信号のＨレベルが電圧Ｖb(+)よりも高い。
【００２０】
次に、電気光学装置の動作について説明する。まず、垂直走査期間の最初において、転送開始パルスＤＹが走査線駆動回路１３０に供給される。この供給によって、図４に示されるように、走査信号Ｇ１、Ｇ２、Ｇ３、…、Ｇｍが順次排他的にＨレベルになって、それぞれ走査線１１２に出力される。
まず、走査信号Ｇ１がＨレベルになる水平有効表示期間について着目すると、図５に示されるように、当該水平有効表示期間の先立つ水平帰線期間のプリチャージ期間において信号ＮＲＧがＨレベルになって、セレクタ３４０では、プリチャージ信号Ｖpreが選択される。ここで、当該水平有効表示期間で正極性書込が行われるとすると、プリチャージ電圧Ｖpreは、信号ＮＲＧがＨレベルになる前に、電圧Ｖw(+)に切り替わる。このため、当該プリチャージ期間において、画像信号線１７１に供給されるデータ信号Ｖｉｄ１〜Ｖｉｄ６の電圧は電圧Ｖw(+)となる。
一方、信号ＮＲＧがＨレベルになると、すべてのＯＲ回路１４４は、シフトレジスタ１４２の出力信号とは無関係に、サンプリング信号Ｓ１、Ｓ２、Ｓ３、…、ＳｎをＨレベルで出力するので、すべてのサンプリングスイッチ１５０がオンする。
このため、画像信号線１７１に供給されたプリチャージ信号Ｖpreがデータ線１１４にサンプリングされる結果、すべてのデータ線１１４は、当該プリチャージ信号Ｖpreの電圧Ｖw(+)にプリチャージされる。
【００２１】
なお、水平帰線期間において、信号ＮＲＧがＬレベルである期間では、セレクタ３４０では画像信号Ｖｄ１〜Ｖｄ６が選択される。水平帰線期間のうち、プリチャージ期間の前において画像信号Ｖｄ１〜Ｖｄ６は、画素を最低階調とさせる電圧Ｖb(-)から電圧Ｖb(+)に切り替わるので、画像信号線１７１に供給されるデータ信号Ｖｉｄ１〜Ｖｉｄ６も、電圧Ｖb(-)から電圧Ｖb(+)に切り替わる。
さらに、データ信号Ｖｉｄ１〜Ｖｉｄ６は、プリチャージ期間においてＶw(+)となった後、水平有効表示期間となるまでに、再度、電圧Ｖb(+)に切り替わる。
ただし、水平帰線期間のうちプリチャージ期間以外では、信号ＮＲＧはＬレベルであり、また、サンプリング信号Ｓ１、Ｓ２、Ｓ３、…、ＳｎもＬレベルであるので、データ線１１４のプリチャージ状態は、その寄生容量によって維持されることになる。
【００２２】
水平帰線期間が終了すると、水平有効表示期間が開始する。
水平有効表示期間では、水平走査に同期して供給される映像データＶｉｄが、第１に、Ｓ／Ｐ変換回路３１０によって６チャネルに分配されるとともに、時間軸に対して６倍に伸長され、第２に、Ｄ／Ａ変換回路群３２０によってそれぞれアナログ信号に変換され、第３に、さらに、増幅・反転回路３３０によって正極性書込に対応して電圧Ｖcを基準に正転して出力される。このため、増幅・反転回路３３０による画像信号Ｖｄ１〜Ｖｄ６の電圧は、電圧Ｖcよりも高位となるにつれて、画素を暗くさせる。
なお、水平有効表示期間において画像信号線１７１に供給されるデータ信号Ｖｉｄ１〜Ｖｉｄ６は、それぞれ画像信号Ｖｄ１〜Ｖｄ６である。
【００２３】
一方、走査信号Ｇ１がＨレベルになる水平有効表示期間では、図４に示されるように、シフトレジスタ１４２から信号Ｓａ１、Ｓａ２、Ｓａ３、…、Ｓａｎが順番にＨレベルとなるように出力される。水平有効表示期間では信号ＮＲＧがＬレベルであるので、これらの信号Ｓａ１、Ｓａ２、Ｓａ３、…、Ｓａｎは、ＯＲ回路１４４をそのままスルーして、図５に示されるようにサンプリング信号Ｓ１、Ｓ２、Ｓ３、…、Ｓ（ｎ−１）、Ｓｎとして出力される。
【００２４】
いま、走査信号Ｇ１がＨレベルになる水平有効走査期間において、サンプリング信号Ｓ１がＨレベルになると、左から１番目のブロックに属する６本のデータ線１１４には、データ信号Ｖｉｄ１〜Ｖｉｄ６のうち対応するものがそれぞれサンプリングされる。そして、サンプリングされたデータ信号Ｖｉｄ１〜Ｖｉｄ６は、図２において上から数えて１行目の走査線１１２と当該６本（左から数えて１〜６列目）のデータ線１１４と交差する画素の画素電極１１８にそれぞれ印加されることになる。
この後、サンプリング信号Ｓ２がＨレベルになると、今度は、２番目のブロックに属する６本のデータ線１１４に、それぞれデータ信号Ｖｉｄ１〜Ｖｉｄ６がサンプリングされて、これらのデータ信号Ｖｉｄ１〜Ｖｉｄ６が、１行目の走査線１１２と当該６本（左から数えて７〜１２列目）のデータ線１１４と交差する画素の画素電極１１８にそれぞれ印加されることになる。
【００２５】
以下同様にして、サンプリング信号Ｓ３、Ｓ４、……、Ｓｎが順次Ｈレベルになると、第３番目、第４番目、…、第ｎ番目のブロックに属する６本のデータ線１１４にデータ信号Ｖｉｄ１〜Ｖｉｄ６のうち対応するものがサンプリングされ、これらのデータ信号Ｖｉｄ１〜Ｖｉｄ６が、１行目の走査線１１２と当該６本のデータ線１１４と交差する画素の画素電極１１８にそれぞれ印加されることになる。これにより、第１行目の画素のすべてに対する書き込みが完了することになる。
【００２６】
続いて、走査信号Ｇ２がＨレベルになる期間について説明する。本実施形態では、上述したように、走査線単位の極性反転が行われるので、この水平有効表示期間においては、負極性書込が行われることになる。
この負極性書込の水平有効表示期間の先立つ帰線期間のうち、プリチャージ期間において信号ＮＲＧがＨレベルになると、サンプリング信号Ｓ１、Ｓ２、…、Ｓ（ｎ−１）、ＳｎがＯＲ回路１４４によってＨレベルとなるので、すべてのサンプリングスイッチ１５０がオンする。
これにより、画像信号線１７１に供給されたプリチャージ信号Ｖpreが、データ線１１４にサンプリングされる。ここで、走査信号Ｇ２がＨレベルとなる水平有効表示期間は負極性書込であるので、プリチャージ信号Ｖpreの電圧はＶba(-)である。したがって、データ線１１４は、このプリチャージ期間において電圧Ｖba(-)にプリチャージされる。
また、負極性書込が行われる水平有効表示期間前の水平帰線期間では、画像信号Ｖｄ１〜Ｖｄ６は、プリチャージ期間の前に、画素を最低階調とさせる電圧Ｖb(+)から電圧Ｖb(-)に切り替わるので、画像信号線１７１に供給されるデータ信号Ｖｉｄ１〜Ｖｉｄ６も、電圧Ｖb(+)から電圧Ｖb(-)に切り替わる。さらに、データ信号Ｖｉｄ１〜Ｖｉｄ６は、プリチャージ期間においてＶba(-)となった後、水平有効表示期間となるまでに、再度、電圧Ｖb(-)に切り替わる。
他の動作については走査信号Ｇ１がＨレベルになる水平有効表示期間と同様であり、サンプリング信号Ｓ１、Ｓ２、Ｓ３、…、Ｓｎが順次Ｈレベルになって、第２行目の画素のすべてに対する書き込みが完了することになる。
ただし、走査信号Ｇ２がＨレベルとなる水平有効表示期間は負極性書込であるので、増幅・反転回路３３０は、６チャネルに分配されて、時間軸に対して６倍に伸長された信号を、負極性書込に対応して、電圧Ｖcを基準に反転して出力する。このため、データ信号Ｖｉｄ１〜Ｖｉｄ６（画像信号Ｖｄ１〜Ｖｄ６）の電圧は、電圧Ｖcよりも低位となるにつれて、画素を暗くさせる。
【００２７】
以下同様にして、走査信号Ｇ３、Ｇ４、…、ＧｍがＨレベルになって、第３行目、第４行目、…、第ｍ行目の画素に対して書き込みが行われることになる。これにより、奇数行目の画素については正極性書込が行われる一方、偶数行目の画素については負極性書込が行われて、この１垂直走査期間においては、第１行目〜第ｍ行目の画素のすべてにわたって書き込みが完了することになる。
なお、このようにサンプリング信号Ｓ１、Ｓ２、Ｓ３、…、Ｓｎは、水平帰線期間のうちプリチャージ期間では信号ＮＲＧにしたがって一斉にＨレベルとなり、これによりサンプリングスイッチ１５０を一斉にオンさせて、画像信号線１７１に供給されたプリチャージ信号Ｖpreをデータ線１１４にプリチャージさせる一方、水平有効表示期間では、シフトレジスタ１４２の出力にしたがって順番にＨレベルとなり、これによってサンプリングスイッチ１５０をブロック毎にオンさせて、画像信号線１７１に供給された画像信号Ｖｄ１〜Ｖｄ６をデータ線１１４にサンプリングさせる。したがって、シフトレジスタ１４２、ＯＲ回路１４４、サンプリングスイッチ１５０によってサンプリング回路が構成される。
【００２８】
次の１垂直走査期間においても、同様な書き込みが行われるが、この際、各行の画素に対する書込極性が入れ替えられる。すなわち、次の１垂直走査期間において、奇数行目の画素については負極性書込が行われる一方、偶数行目の画素については正極性書込が行われることになる。この書込極性の入れ替えに伴って、プリチャージ電圧生成回路３６０は、奇数行、偶数行に対するプリチャージ信号Ｖpreの極性を入れ替える。
このように、垂直走査期間毎に画素に対する書込極性が入れ替えられるので、液晶層１０５に直流成分が印加されることがなくなり、液晶層１０５の劣化が防止される。
【００２９】
本実施形態において、水平有効表示期間前にデータ線１１４をプリチャージする理由は、上述したように、データ線１１４に容量が寄生する場合であっても、データ線１１４の充放電に伴う書込不足を低減するためである。ここで、書込不足を低減することを第１の目的とするならば、プリチャージ信号Ｖpreの電圧としては、正極性書込の直前では電圧Ｖg(+)が、負極性書込の直前では電圧Ｖg(-)が、それぞれ望ましいと考えられる。その第１の理由は、データ信号の電圧は、白色に相当する電圧から黒色に相当する電圧までの範囲であるが、プリチャージ電圧は、この直後にサンプリングされるデータ信号の電圧との差が小さいほど書込時間を短縮できるので、白色と黒色との中間の灰色に相当する電圧をプリチャージ電圧に設定すれば、サンプリング時の書込時間の短縮に最も効果がある、と考えられるからである。
また、第２の理由としては、液晶層に印加される電圧実効値と透過率との特性（Ｖ−Ｔ特性）では、灰色にする場合（透過率が５０％である場合）において、電圧実効値に対する透過率の変化が最大となるからであって、データ線を予め灰色に相当する電圧にプリチャージしておけば、灰色に相当する電圧の画像信号をデータ線に高速にサンプリングできるから、および、正確な中間階調表示が可能になるからである。
【００３０】
しかしながら、このようにプリチャージ信号Ｖpreの電圧として灰色に相当する電圧に設定すると、次のような縦クロストークが発生して表示品位が低下する、という問題が発生した。
この縦クロストークは、例えば図６（ａ）に示されるように、同一階調の灰色を背景として黒色領域（Ｂ−Ｅ）をウィンドウ表示しようとする場合、当該黒色領域（Ｂ−Ｅ）において上下に隣接する灰色領域（Ａ−Ｅ）および（Ｃ−Ｅ）が他の灰色領域（Ａ−Ｄ）、（Ｂ−Ｄ）、（Ｃ−Ｄ）、（Ａ−Ｆ）、（Ｂ−Ｆ）および（Ｃ−Ｆ）よりも明るくなってしまう、という現象である。
なお、同図では説明のために、表示領域１００ａを水平走査（横）方向に沿って領域Ａ、Ｂ、Ｃに分けるとともに、垂直走査（縦）にも沿って領域Ｄ、Ｅ、Ｆに分けている。そして、これらの計９つの領域については、水平走査方向の領域と垂直走査方向の領域とを−（ハイフン）で結んで表記している。
また、図８（ａ）は、プリチャージ信号Ｖpreとして灰色に相当する電圧に設定した場合に、例えばデータ信号Ｖｉｄ１の電圧波形を示す図である。
【００３１】
この縦クロストークの主原因は、画素電極１１８とデータ線１１４との間に介挿されたＴＦＴ１１６の光リークであると考えられる。この光リークについて詳述すると、一般に、ＴＦＴのゲート・ソース間の電圧ＶDSとドレイン電流ＩDとは、おおよそ図７の実線で示されるような特性の関係にある。ＴＦＴを構成するポリシリコンは、光導電性を有するので、ＴＦＴのチャネル部に光が入射しないように遮光されるが、完全に遮光することは困難である。ここで、チャネル部に光がわずかでも入射すると、当該特性が破線で示されるように左方向にシフトする。当該特性がシフトしても、ソース（データ）電圧がゲート（走査）電圧がよりも大きく上回れば、ドレイン電流ＩDはほとんど流れないが、ソース電圧がゲート電圧よりもわずかに高い程度であれば、ドレイン電流ＩDが流れて、オフ抵抗が低下する。
【００３２】
ここで、図６（ａ）に示されるような表示をする際に、領域Ｂに属する走査線を選択して、領域Ｅに属するデータ線に負極性の黒色に相当する電圧Ｖb(-)をサンプリングすると、領域Ａ、Ｃに属する走査線の電圧は非選択であり、電源の低位側電圧の０Ｖである。このため、灰色領域（Ａ−Ｅ）および（Ｃ−Ｅ）に属するＴＦＴでは、ソース電圧はゲート電圧よりもわずかに高い状態となるので、当該領域のすべてのＴＦＴでは、そのオフ抵抗が低下して、液晶層１０５に印加された電圧実効値が低下する。
これに対し、領域Ｄ、Ｆに属するデータ線には、負極性の黒色に相当する電圧がサンプリングされる場合はないので、灰色領域（Ａ−Ｄ）、（Ｂ−Ｄ）、（Ｃ−Ｄ）、（Ａ−Ｆ）、（Ｂ−Ｆ）および（Ｃ−Ｆ）に属するＴＦＴでは、そのオフ抵抗が低下することはない。このため、液晶層１０５に印加された電圧実効値がそれほど低下することはない。
したがって、灰色領域（Ａ−Ｅ）および（Ｃ−Ｅ）の画素は、灰色領域（Ａ−Ｄ）、（Ｂ−Ｄ）、（Ｃ−Ｄ）、（Ａ−Ｆ）、（Ｂ−Ｆ）および（Ｃ−Ｆ）の画素よりも、電圧実効値の低下により、ノーマリーホワイトモードであれば、明るくなるのである。
【００３３】
そこで、このような縦クロストークを目立たなくするため、負極性書込を行う前のプリチャージ電圧として、黒色に相当する電圧Ｖb(-)を印加すると、灰色領域（Ａ−Ｄ）、（Ｂ−Ｄ）、（Ｃ−Ｄ）、（Ａ−Ｆ）、（Ｂ−Ｆ）および（Ｃ−Ｆ）のＴＦＴについても、明るくなる灰色領域（Ｂ−Ｆ）および（Ｃ−Ｆ）に属するＴＦＴと同様に、オフ抵抗が低下する。このため、灰色領域（Ａ−Ｄ）、（Ｂ−Ｄ）、（Ｃ−Ｄ）、（Ａ−Ｆ）、（Ｂ−Ｆ）および（Ｃ−Ｆ）についても液晶層１０５に印加された電圧実効値が低下して、灰色領域（Ｂ−Ｆ）および（Ｃ−Ｆ）と同様に明るくなり、これにより、灰色領域において階調の差がなくなって、縦クロストークが目立たなくなる。すなわち、灰色領域（Ａ−Ｄ）、（Ｂ−Ｄ）、（Ｃ−Ｄ）、（Ａ−Ｆ）、（Ｂ−Ｆ）および（Ｃ−Ｆ）について、リークを意図的に発生させて、灰色領域（Ｂ−Ｆ）および（Ｃ−Ｆ）と同様の階調に近づけて、縦クロストークを目立たなくさせるのである。
なお、負極性書込のプリチャージ電圧として黒色に相当する電圧Ｖb(-)にしたこととの関係上、正極性書込のプリチャージ電圧については白色に相当する電圧Ｖw(+)、場合によっては振幅中心電圧Ｖcとして、両極性書込でみたときに理想的な灰色になるようにされている。
なお、図８（ｂ）は、プリチャージ信号Ｖpreとして正極性書込の直前では白色相当電圧Ｖw(+)に、負極性書込の直前では黒色相当電圧Ｖb(-)に、それぞれ設定した場合に、例えばデータ信号Ｖｉｄ１の電圧波形を示す図である。
【００３４】
しかしながら、このように負極性書込のプリチャージ電圧として黒色に相当する電圧Ｖb(-)を用いると、今度は、焼き付きという別の問題が新たに発生した。上述したように、液晶層１０５は、交流駆動が原則である。仮に液晶層１０５に直流成分が印加されると、液晶や配向膜が劣化する。液晶や配向膜が劣化した状態において、長期間静止画を表示させた後、別の画面を表示させたとき、以前に表示されていた画像が残像のように見えることから、焼き付きと呼ばれるものである。
この焼き付きは、いかなる原因で発生するのかについて検討したところ、本願発明者は、次のような結論を得た。すなわち、プリチャージ期間は、１つのブロックが選択される期間よりも圧倒的に長いので、画像信号線１７１に供給される電圧が同じであっても、実際にプリチャージされたときのデータ線電圧は、画素を黒色化させるデータ信号がデータ線１１４にサンプリングされたときのデータ線電圧よりも、低いと考えられるためである。
【００３５】
このように、データ線において実際にプリチャージされた電圧が、水平有効表示期間にあってデータ線においてサンプリングされる電圧最低値よりも低いと、プリチャージ期間後からブロックが選択されるまで、データ線１１４がプリチャージ電圧で維持されるので、当該データ１１４に接続されたすべての画素のＴＦＴ１１６のオフ抵抗が低下し、液晶層１０５に書き込まれた電荷が過剰にリークする。これにより、負極性で書き込んだ電圧の実効値と正極性で書き込んだ電圧実効値とのバランスが崩れ、負極性の電圧実効値の方が大きくなって、その差が直流成分として印加されてしまう。
また、別の見解としては、負極性書込の直前において、データ線に実際にプリチャージされたプリチャージ電圧が、水平有効表示期間にあってデータ線にサンプリングされる電圧最低値よりも低いと、当該水平有効表示では、白から黒までの階調に関係なく、常にデータ線１１４の電圧を上昇させる方向のサンプリングが行われることになる。このため、ブロックの選択期間を充分に長くとることができない状況において、負極性書込において、画素電極１１８に印加される電圧はデータ信号の電圧よりも常に低くなり、液晶層に印加される電圧実効値を大きくさせてしまう。正極性書込では、データ線にプリチャージされるプリチャージ電圧は、水平有効表示期間にあってデータ線にサンプリングされる電圧範囲内にあるため、このような現象は起こらない。したがって、負極性書込と正極性書込とで液晶層に印加される電圧実効値が同じとなるような書き込みが行われても、負極性で液晶層に印加される電圧実効値が正極性で液晶層に印加される電圧実効値よりも大きくなり、その差が直流成分として印加されてしまうのである。
【００３６】
本実施形態では、負極性書込直前のプリチャージ電圧を、図８（ｃ）において符号ｐで示されるように、負極性の黒色相当電圧Ｖb(-)ではなく、それよりも高いＶba(-)としているので、負極性書込直前において充分に長い期間でデータ線にプリチャージされる電圧は、水平有効表示期間にあって短い期間でデータ線にサンプリングされる電圧最低値とほぼ同一とさせることができる。これにより、負極性で液晶層に書き込まれる電圧実効値が大きくなるのを防いで、直流成分の印加を回避することが可能となる。
ここで、負極性書込直前のプリチャージ電圧としては、直流成分の印加を回避する観点からいえば、高い方が良い。しかしながら、プリチャージ電圧が高いと、リークが発生しないので、図６（ａ）の例でいえば、灰色領域（Ａ−Ｄ）、（Ｂ−Ｄ）、（Ｃ−Ｄ）、（Ａ−Ｆ）、（Ｂ−Ｆ）および（Ｃ−Ｆ）を明るくすることができず、したがって、縦クロストークを解消することができなくなる。
【００３７】
そこで、本願発明者は、ある電気光学パネル１００において負極性のプリチャージ電圧と縦クロストークとの関係について実験した。その実験結果を図９（ａ）に示す。この図において、クロストークレベルとは、同一の階調となるべき領域同士の明度差をパーセントで示したものであり、図６（ａ）でいえば、例えば、領域（Ｃ−Ｄ）と（Ｃ−Ｅ）との明度差である。
このクロストークレベルは、一般には４％以上になると、観察者によって視認され始めるので、この電気光学パネル１００では、負極性のプリチャージ電圧Ｖba(-)としては、３．７（Ｖ）以下であることが適切であると考えられる。ただし、この３．７（Ｖ）という数値それ自体は、セル条件や液晶が異なる他のパネルに対してはあまり意味を持たない。
そこで次に、本願発明者は、実験対象となった電気光学パネル１００において、負極性のプリチャージ電圧Ｖba(-)の３．７（Ｖ）という値がＶ−Ｔ特性においてどのような意味を持つのかを実験した。その実験結果を図９（ｂ）に示す。この図において、透過率は、最低階調の黒色を透過率０％とし、最高階調の白色を透過率１００％として正規化されている。この図から判るように、負極性のプリチャージ電圧Ｖba(-)の３．７（Ｖ）という値は、透過率１％以下の黒色に近い負極性電圧である、ということができる。すなわち、本実施形態において、負極性のプリチャージ電圧Ｖba(-)は、わずかに黒色相当電圧Ｖb(-)よりもわずかに高い程度に電圧となる。
以上説明したように本実施形態によれば、縦クロストークの発生を抑えつつ、液晶層１０５への直流成分の印加を防止て、焼き付きのない高品位な表示が可能となる。
【００３８】
なお、実施形態では、水平帰線期間において、画像信号線１７１を介してプリチャージ信号Ｖpreをデータ信号Ｖｉｄ１〜Ｖｉｄ６として供給する構成としたが、画像信号線１７１が設けられる反対側に、プリチャージ線とともに、データ線１１４毎に別途プリチャージスイッチを設けて、これらスイッチを信号ＮＲＧによってオンさせてデータ線１１４をプリチャージする構成としても良い。このような構成では、シフトレジスタ１４２、サンプリングスイッチ１５０とともに、プリチャージスイッチによってサンプリング回路が構成されることになる。
【００３９】
実施形態では、垂直走査方向がＧ１→Ｇｍの方向であり、水平走査方向がＳ１→Ｓｎの方向であったが、後述するプロジェクタや回転可能な電気光学パネルとする場合には、走査方向を反転させる必要がある。また、映像データＶｉｄの供給方法を変更すれば、必ずしも、走査線の選択順序を１、２、３行目とする必要はなく、例えば１、３、５、…、（ｍ−１）、２、４、６、……、ｍというように飛び越し走査しても良い。すなわち、ある走査線を選択した後は、別の走査線の選択して、ある単位期間（垂直走査期間）において、すべての走査線を結果的に選択されていれば良い。
また、実施形態では、ある１垂直走査期間において正極性書込をし、次の１垂直走査期間において負極性書込をするので、交流駆動の周期は２垂直走査期間となるが、これ以上の周期で交流駆動をしても良いのはもちろんである。
【００４０】
上述した実施形態にあっては、１つにまとめられた６本のデータ線１１４に対して、画像信号Ｖｄ１〜Ｖｄ６の６チャネルに変換する構成したが、チャネル数および同時に印加するデータ線数（すなわち、１ブロックに属するデータ線数）は、「６」に限られるものではなく、２以上であれば良い。例えば、チャネル数および同時に印加するデータ線の数を「３」や、「１２」、「２４」として、３本や、１２本、２４本のデータ線に対して、３、１２、２４チャネルに分配した補正画像信号を供給する構成としても良い。なお、チャネル数としては、カラーの画像信号が３つの原色に係る信号からなることとの関係から、３の倍数であることが制御や回路などを簡易化する上で好ましい。ただし、後述するプロジェクタのように単なる光変調の用途の場合には、３の倍数である必要はない。
【００４１】
一方、上述した実施形態において、画像信号供給回路３００は、ディジタルの映像データＶｉｄを処理するものとしたが、アナログの画像信号を処理する構成としても良い。さらに、上述した実施形態にあっては、対向電極１０８と画素電極１１８との電圧実効値が小さい場合に白色表示を行うノーマリーホワイトモードとして説明したが、黒色表示を行うノーマリーブラックモードとしても良い。なお、ノーマリーブラックモードの場合、負極性書込においてデータ信号の電圧が（Ｖcを基準にして）低いほど、画素を明るく指定するので、負極性書込におけるデータ信号の電圧最低値は白色相当電圧となる。このため、ノーマリーブラックモードの場合、負極性書込に対応するプリチャージ電圧は、負極性書込における白色相当電圧よりも高めに設定すれば良い。
また、実施形態では、プリチャージ電圧生成回路３６０によるプリチャージ信号Ｖpreと、増幅・反転回路３３０による画像信号とをセレクタ３４０によって切り替える構成としたが、ディジタルの映像信号Ｖｉｄに、ディジタルのプリチャージ信号に相当するデータを重畳させる構成としても良い。
【００４２】
さらに、上述した実施形態では、液晶としてＴＮ型を用いたが、ＢＴＮ（Bi-stable Twisted Nematic）型・強誘電型などのメモリ性を有する双安定型や、高分子分散型、さらには、分子の長軸方向と短軸方向とで可視光の吸収に異方性を有する染料（ゲスト）を一定の分子配列の液晶（ホスト）に溶解して、染料分子を液晶分子と平行に配列させたＧＨ（ゲストホスト）型などの液晶を用いても良い。
また、電圧無印加時には液晶分子が両基板に対して垂直方向に配列する一方、電圧印加時には液晶分子が両基板に対して水平方向に配列する、という垂直配向（ホメオトロピック配向）の構成としても良いし、電圧無印加時には液晶分子が両基板に対して水平方向に配列する一方、電圧印加時には液晶分子が両基板に対して垂直方向に配列する、という平行（水平）配向（ホモジニアス配向）の構成としても良い。このように、本発明では、液晶や配向方式として、種々のものに適用することが可能である。
また、本発明はシリコン基板上に素子を形成する液晶装置（ＬＣＯＳ）にも適用が可能である。その際画素１１０においてＴＦＴ（薄膜トランジスタ）１１６の替わりにトランジスタを形成することが可能である。
【００４３】
次に、上述した実施形態に係る電気光学装置を用いた電子機器の一例として、上述した電気光学パネル１００をライトバルブとして用いたプロジェクタについて説明する。図１０は、このプロジェクタの構成を示す平面図である。この図に示されるように、プロジェクタ２１００内部には、ハロゲンランプ等の白色光源からなるランプユニット２１０２が設けられている。このランプユニット２１０２から射出された投射光は、内部に配置された３枚のミラー２１０６および２枚のダイクロイックミラー２１０８によってＲ（赤）、Ｇ（緑）、Ｂ（青）の３原色に分離されて、各原色に対応するライトバルブ１００Ｒ、１００Ｇおよび１００Ｂにそれぞれ導かれる。なお、Ｂ色の光は、他のＲ色やＧ色と比較すると、光路が長いので、その損失を防ぐために、入射レンズ２１２２、リレーレンズ２１２３および出射レンズ２１２４からなるリレーレンズ系２１２１を介して導かれる。
【００４４】
ここで、ライトバルブ１００Ｒ、１００Ｇおよび１００Ｂの構成は、上述した実施形態における電気光学パネル１００と同様であり、画像信号供給回路（図１０では省略）から供給されるＲ、Ｇ、Ｂの各色に対応する画像信号でそれぞれ駆動されるものである。すなわち、このプロジェクタ２１００では、電気光学パネル１００を含む電気光学装置が、Ｒ、Ｇ、Ｂの各色に対応して３組設けられ、各色の電気光学パネルにおける表示のムラが、それぞれ目立たなくなるように補正される構成となっている。
ライトバルブ１００Ｒ、１００Ｇ、１００Ｂによってそれぞれ変調された光は、ダイクロイックプリズム２１１２に３方向から入射する。そして、このダイクロイックプリズム２１１２において、Ｒ色およびＢ色の光は９０度に屈折する一方、Ｇ色の光は直進する。したがって、各色の画像が合成された後、スクリーン２１２０には、投射レンズ２１１４によってカラー画像が投射されることとなる。
【００４５】
なお、ライトバルブ１００Ｒ、１００Ｇおよび１００Ｂには、ダイクロイックミラー２１０８によって、Ｒ、Ｇ、Ｂの各原色に対応する光が入射するので、上述したようにカラーフィルタを設ける必要はない。また、ライトバルブ１００Ｒ、１００Ｂの透過像は、ダイクロイックミラー２１１２により反射した後に投射されるのに対し、ライトバルブ１００Ｇの透過像はそのまま投射されるので、ライトバルブ１００Ｒ、１００Ｂによる水平走査方向は、ライトバルブ１００Ｇによる水平走査方向と逆向きにして、左右を反転させた像を表示する構成となっている。
【００４６】
電子機器としては、図１０を参照して説明した他にも、テレビジョンや、ビューファインダ型・モニタ直視型のビデオテープレコーダ、カーナビゲーション装置、ページャ、電子手帳、電卓、ワードプロセッサ、ワークステーション、テレビ電話、ＰＯＳ端末、ディジタルスチルカメラ、携帯電話機、タッチパネルを備えた機器等などが挙げられる。そして、これらの各種の電子機器に対して、本発明に係る表示パネルが適用可能なのは言うまでもない。
【図面の簡単な説明】
【００４７】
【図１】本発明の実施形態に係る電気光学装置の全体構成を示すブロック図である。
【図２】同電気光学装置における電気光学パネルの構成を示すブロック図である。
【図３】同電気光学パネルの画素の構成を示す図である。
【図４】同電気光学装置の動作を説明するためのタイミングチャートである。
【図５】同電気光学装置の動作を説明するためのタイミングチャートである。
【図６】同電気光学装置における表示の不具合例を示す図である。
【図７】ＴＦＴの光リークを説明するための図である。
【図８】同電気光学装置と従来とにおいてデータ信号の電圧波形を比較するための図である。
【図９】同電気光学装置における電気光学特性を示す図表である。
【図１０】同電気光学装置を適用した電子機器の一例たるプロジェクタの構成を示す図である。
【符号の説明】
【００４８】
１００…電気光学パネル、１１２…走査線、１１４…データ線、１１６…ＴＦＴ、１１８…画素電極、１３０…走査線駆動回路、１４０…ブロック選択回路、１４２…シフトレジスタ、１５０…サンプリングスイッチ、１７１…画像信号線、２００…制御回路、３００…画像信号供給回路、２１００…プロジェクタ。
【図１】
2006003877.tif 000003
【図２】
2006003877.tif 000004
【図３】
2006003877.tif 000005
【図４】
2006003877.tif 000006
【図５】
2006003877.tif 000007
【図６】
2006003877.tif 000008
【図７】
2006003877.tif 000009
【図８】
2006003877.tif 000010
【図９】
2006003877.tif 000011
【図１０】
2006003877.tif 000012